(57)【要約】      （修正有）【課題】巻線での渦電流の発生を抑制した高周波トランス、及び、高周波コイルを提供する。【解決手段】銅板１１０及び銅板１２０は、コア１３０のコア片１３０Ａとコア片１３０Ｂとの間に配設される。銅板１１０は、Ｃ字型の銅板であり、両端に端子１１１、１１２を有する。同様に、銅板１２０は、Ｃ字型の銅板であり、両端に端子１２１、１２２を有する。銅板１１０には端子１１１から端子１１２に向かう方向、又は、これとは逆方向に電流が流れる。同様に、銅板１２０には端子１２１から端子１２２に向かう方向、又は、これとは逆方向に電流が流れる。【選択図】図１
2019096725.tif 000002
【特許請求の範囲】
【請求項１】
一次側巻線と、
前記一次側巻線と重ねて配置される二次側巻線と、
第１ヨークと、第１脚部と、前記第１ヨークから突出する第２脚部とを有する第１コア片と、
第２ヨークと、第３脚部と、前記第２ヨークから突出し、前記第２脚部に当接する第４脚部とを有し、前記第１コア片との間に前記一次側巻線及び前記二次側巻線を挟持する第２コア片と
を含み、
前記第１脚部及び前記第３脚部は、平面視で前記一次側巻線及び前記二次側巻線の内周よりも内側の領域において第１側及び第２側にそれぞれ配置されて、前記第２ヨーク及び前記第１ヨークに向かってそれぞれ突出しており、
前記第１脚部の前記第３脚部に面する第１面と、前記第３脚部の前記第１脚部に面する第２面との第１ギャップは、前記第１脚部と前記第２ヨークとの第２ギャップ、及び、前記第３脚部と前記第２ヨークとの第３ギャップよりも小さい、高周波トランス。
【請求項２】
前記第１面及び前記第２面は、それぞれ、前記第１ヨーク及び前記第２ヨークに対して起立する面である、請求項１記載の高周波トランス。
【請求項３】
前記第１面及び前記第２面がそれぞれ前記第１ヨーク及び前記第２ヨークに対して起立する角度は、９０度である、請求項２記載の高周波トランス。
【請求項４】
前記第１面及び前記第２面は、それぞれ、前記第１ヨーク及び前記第２ヨークに対して階段状に起立する面である、請求項２記載の高周波トランス。
【請求項５】
前記一次側巻線及び前記二次側巻線は、平板状の巻線である、請求項１乃至４のいずれか一項記載の高周波トランス。
【請求項６】
巻線状に複数回巻回されるコイルと、
第１ヨークと、第１脚部と、前記第１ヨークから突出する第２脚部とを有する第１コア片と、
第２ヨークと、第３脚部と、前記第２ヨークから突出し、前記第２脚部に当接する第４脚部とを有し、前記第１コア片との間に前記コイルを挟持する第２コア片と
を含み、
前記第１脚部及び前記第３脚部は、平面視で前記コイルの内周よりも内側の領域において第１側及び第２側にそれぞれ配置されて、前記第２ヨーク及び前記第１ヨークに向かってそれぞれ突出しており、
前記第１脚部の前記第３脚部に面する第１面と、前記第３脚部の前記第１脚部に面する第２面との第１ギャップは、前記第１脚部と前記第２ヨークとの第２ギャップ、及び、前記第３脚部と前記第２ヨークとの第３ギャップよりも小さい、高周波コイル。
【発明の詳細な説明】
【技術分野】
【０００１】
本発明は、高周波トランス、及び、高周波コイルに関する。
【背景技術】
【０００２】
従来より、コアと、前記コアに巻装した巻線体からなる一次巻線と、一回巻構造の金属板材からなる二次巻線とを備え、前記金属板材には、前記コアを挿通して保持する貫通孔が設けられると共に、前記貫通孔を隔てて一対の端子部が形成され、前記コアに対して前記巻線体と前記金属板材とを交互に配置したことを特徴とするトランスがある（例えば、特許文献１参照）。
【先行技術文献】
【特許文献】
【０００３】
【特許文献１】特開２００６−０１３０９４号公報
【発明の概要】
【発明が解決しようとする課題】
【０００４】
ところで、従来のトランスでは、コアのギャップ部における磁束フリンジングによって、一次巻線及び／又は二次巻線に渦電流が生じるおそれがある。特に、金属板材で構成される巻線に厚さ方向に漏れ磁束が鎖交すると、渦電流の発生が顕著になる。
【０００５】
渦電流が発生すると、一次巻線及び／又は二次巻線が加熱されるので、放熱対策が必要になる。
【０００６】
そこで、巻線での渦電流の発生を抑制した高周波トランス、及び、高周波コイルを提供することを目的とする。
【課題を解決するための手段】
【０００７】
本発明の実施の形態の高周波トランスは、一次側巻線と、前記一次側巻線と重ねて配置される二次側巻線と、第１ヨークと、第１脚部と、前記第１ヨークから突出する第２脚部とを有する第１コア片と、
第２ヨークと、第３脚部と、前記第２ヨークから突出し、前記第２脚部に当接する第４脚部とを有し、前記第１コア片との間に前記一次側巻線及び前記二次側巻線を挟持する第２コア片とを含み、前記第１脚部及び前記第３脚部は、平面視で前記一次側巻線及び前記二次側巻線の内周よりも内側の領域において第１側及び第２側にそれぞれ配置されて、前記第２ヨーク及び前記第１ヨークに向かってそれぞれ突出しており、前記第１脚部の前記第３脚部に面する第１面と、前記第３脚部の前記第１脚部に面する第２面との第１ギャップは、前記第１脚部と前記第２ヨークとの第２ギャップ、及び、前記第３脚部と前記第２ヨークとの第３ギャップよりも小さい。
【発明の効果】
【０００８】
巻線での渦電流の発生を抑制した高周波トランス、及び、高周波コイルを提供することができる。
【図面の簡単な説明】
【０００９】
【図１】実施の形態の高周波トランス１００を示す図である。
【図２】コア１３０を分解した状態を示す図である。
【図３】図１のＡ−Ａ矢視断面を示す図である。
【図４】図１のＢ−Ｂ矢視断面を示す図である。
【図５】比較用の高周波トランス１０を示す図である。
【図６】実施の形態の第１変形例による高周波トランス１００Ｍ１を示す図である。
【図７】実施の形態の第２変形例による高周波トランス１００Ｍ２を示す図である。
【発明を実施するための形態】
【００１０】
以下、本発明の高周波トランス、及び、高周波コイルを適用した実施の形態について説明する。
【００１１】
＜実施の形態＞
図１は、実施の形態の高周波トランス１００を示す図である。高周波トランス１００は、銅板１１０、銅板１２０、及びコア１３０を含み、一例として、約１０ｋＨｚから約数ＭＨｚの周波数の交流電力を一次側から二次側に伝送することができる。
【００１２】
以下では、図１に加えて図２乃至図４も用いて説明を行う。図２は、コア１３０を分解した状態を示す図である。図３は、図１のＡ−Ａ矢視断面を示す図である。図４は、図１のＢ−Ｂ矢視断面を示す図である。また、以下ではＸＹＺ座標系を用いて説明し、平面視とはＸＹ平面視をいう。
【００１３】
銅板１１０及び銅板１２０は、コア１３０のコア片１３０Ａとコア片１３０Ｂとの間に配設される。銅板１１０及び銅板１２０は、一例として、互いに等しい形状を有する。銅板１１０は、Ｃ字型の銅板であり、両端に端子１１１、１１２を有する。同様に、銅板１２０は、Ｃ字型の銅板であり、両端に端子１２１、１２２を有する。銅板１１０には端子１１１から端子１１２に向かう方向、又は、これとは逆方向に電流が流れる。同様に、銅板１２０には端子１２１から端子１２２に向かう方向、又は、これとは逆方向に電流が流れる。
【００１４】
ここでは、一例として、銅板１１０及び銅板１２０として７枚の銅板を示し、そのうちの上側（Ｚ軸正方向側）の５枚の銅板１１０を直列に接続することによって、５巻の一次巻線として用い、下側（Ｚ軸負方向側）の２枚の銅板１２０を直列に接続することによって、２巻の二次巻線として用いる。
【００１５】
５枚の銅板１１０を直列に接続するには、例えば、最も上の銅板１１０の端子１１２から最も下の銅板１１０の端子１１１にかけて、順番に、端子１１２と端子１１１とを配線で接続すればよい。同様に、２枚の銅板１２０を直列に接続するには、上側の銅板１２０の端子１２２と下側の銅板１２０の端子１２１とを配線で接続すればよい。
【００１６】
なお、５枚の銅板１１０を互いに並列に接続して１巻の一次巻線としてもよく、２枚の銅板１２０を並列に接続して１巻の二次巻線としてもよい。また、銅板１１０及び銅板１２０の数は幾つであってもよく、互いに等しくてもよい。
【００１７】
また、銅板１１０同士の間、銅板１１０と銅板１２０との間、銅板１２０同士の間は、絶縁紙等を配設することによって絶縁され、銅板１１０及び銅板１２０とコア１３０の間にも絶縁紙が設けられるが、ここでは省略する。
【００１８】
コア１３０は、二分割式であり、コア片１３０Ａとコア片１３０Ｂを有する。コア片１３０Ａとコア片１３０Ｂは、互いに等しい形状を有する。このため、まず、コア片１３０Ａについて説明する。
【００１９】
コア片１３０Ａは、ヨーク１３１Ａ、主脚部１３２Ａ、側脚部１３３Ａ、１３４Ａを有する。コア片１３０Ａは、第１コア片の一例である。ヨーク１３１Ａは、第１ヨークの一例であり、主脚部１３２Ａは、第１脚部の一例であり、側脚部１３３Ａ及び１３４Ａは、第２脚部の一例である。
【００２０】
ヨーク１３１Ａは、ＸＹ平面に沿って延在する板状の部分であり、Ｘ軸方向の中央部におけるＹ軸負方向側に、Ｚ軸負方向側に突出する主脚部１３２Ａが設けられている。また、ヨーク１３１Ａには、Ｘ軸負方向側及びＸ軸正方向側の端部から、Ｚ軸負方向側に突出する側脚部１３３Ａ及び１３４Ａがそれぞれ設けられている。
【００２１】
主脚部１３２Ａは、平面視で半楕円形の柱状体であり、ヨーク１３１ＡのＸ軸方向の中央部におけるＹ軸負方向側からＺ軸負方向側に突出するように設けられている。主脚部１３２Ａは、主脚部１３２ＢとはＹ軸方向において位置をずらして、互い違いに配置されている。すなわち、主脚部１３２Ａは、平面視で、銅板１１０及び１２０の内周よりも内側の領域における第１側に設けられ、主脚部１３２Ｂは第１側とは反対側の第２側に設けられる。
【００２２】
主脚部１３２Ａは、コア片１３０Ｂの主脚部１３２Ｂの対向面１３２Ｂ１と対向する（向かい合う）対向面１３２Ａ１を有する。対向面１３２Ａ１はＸＺ平面に平行な平面であり、Ｙ軸正方向側を向いて対向面１３２Ｂ１に面している。対向面１３２Ａ１は、第１面の一例である。主脚部１３２Ａは、Ｙ軸負方向側に円弧状に湾曲した湾曲面１３２Ａ２を有する。湾曲面１３２Ａ２は、ヨーク１３１ＡのＹ軸負方向側の端部よりもＹ軸正方向側にオフセットした位置にある。
【００２３】
主脚部１３２Ａは、コア片１３０Ａ及び１３０Ｂが組み付けられた状態で、コア片１３０Ｂの主脚部１３２Ｂと楕円状に配置される。コア片１３０Ａ及び１３０Ｂが組み付けられた状態で、主脚部１３２Ａの対向面１３２Ａ１と、主脚部１３２Ｂの対向面１３２Ｂ１とのギャップ（Ｙ軸方向のギャップ）は、ｄ１である。ギャップｄ１は、第１ギャップの一例である。
【００２４】
また、主脚部１３２ＡのＺ軸方向の高さは、コア片１３０Ａ及び１３０Ｂが組み付けられた状態で、Ｚ軸負方向側の端面とコア片１３０Ｂのヨーク１３１Ｂとの間にギャップｄ２が確保される厚さに設定される。ギャップｄ２は、第２ギャップの一例であり、ｄ２＞ｄ１である。
【００２５】
主脚部１３２Ａは、コア片１３０Ａ及び１３０Ｂが組み付けられた状態で、主脚部１３２Ｂとの間に、エアギャップを有する磁路を構築する。
【００２６】
側脚部１３３Ａ及び１３４Ａは、直方体状の形状を有し、ヨーク１３１ＡのＸ軸負方向側及びＸ軸正方向側の端部からＺ軸負方向に突出するように設けられている。側脚部１３３Ａ及び１３４Ａは、それぞれ、コア片１３０Ｂの側脚部１３３Ｂ及び１３４Ｂに当接し、側脚部１３３Ｂ及び１３４Ｂとの間に磁路を構築する。側脚部１３３Ａと、側脚部１３４ＡとのＸ軸方向の長さ、Ｙ軸方向の長さ、及び、Ｚ軸方向の高さは、互いに等しい。
【００２７】
側脚部１３３Ａと主脚部１３２Ａとの間隔と、側脚部１３４Ａと主脚部１３２Ａとの間隔とは、銅板１１０及び１２０の幅よりも少し広く設定されている。側脚部１３３Ａ及び１３４ＡのＹ軸方向の長さは、ヨーク１３１ＡのＹ軸方向の長さと等しく、側脚部１３３Ａ及び１３４ＡのＸ軸方向の長さは、コア片１３０Ａ及び１３０Ｂが組み付けられた状態で、十分に低い磁気抵抗が得られる長さに設定されている。
【００２８】
コア片１３０Ｂは、ヨーク１３１Ｂ、主脚部１３２Ｂ、側脚部１３３Ｂ、１３４Ｂを有し、コア片１３０Ａと同様の構成を有する。このため、コア片１３０Ｂについては簡単に説明する。なお、コア片１３０Ｂは、第２コア片の一例である。ヨーク１３１Ｂは、第２ヨークの一例であり、主脚部１３２Ｂは、第３脚部の一例であり、側脚部１３３Ｂ及び１３４Ｂは、第４脚部の一例である。
【００２９】
ヨーク１３１Ｂは、ヨーク１３１Ａと同様にＸＹ平面に沿って延在する板状の部分である。ヨーク１３１Ｂには、主脚部１３２Ｂと、側脚部１３３Ｂ及び１３４Ｂとが設けられる。
【００３０】
主脚部１３２Ｂは、平面視で半楕円形の柱状体であり、ヨーク１３１ＢのＸ軸方向の中央部におけるＹ軸正方向側からＺ軸正方向側に突出するように設けられている。このように、主脚部１３２Ｂは、主脚部１３２ＡとはＹ軸方向において位置をずらして、互い違いに配置されている。
【００３１】
主脚部１３２Ｂは、コア片１３０Ａの主脚部１３２Ａの対向面１３２Ａ１と対向する（向かい合う）対向面１３２Ｂ１を有する。対向面１３２Ｂ１と対向面１３２Ａ１とのギャップは、ｄ１である。なお、対向面１３２Ｂ１は、第２面の一例である。
【００３２】
また、主脚部１３２Ｂは、Ｙ軸負方向側に円弧状に湾曲した湾曲面１３２Ｂ２を有する。湾曲面１３２Ｂ２は、ヨーク１３１ＢのＹ軸正方向側の端部よりもＹ軸負方向側にオフセットした位置にある。
【００３３】
また、主脚部１３２ＢのＺ軸方向の高さは、コア片１３０Ａ及び１３０Ｂが組み付けられた状態で、Ｚ軸正方向側の端面とコア片１３０Ａのヨーク１３１Ａとの間にギャップｄ３が確保される厚さに設定される。ギャップｄ３は、第３ギャップの一例であり、ｄ３＞ｄ１であり、かつ、ｄ３＝ｄ２である。すなわち、主脚部１３２Ｂの高さは、主脚部１３２Ａの高さと等しい。
【００３４】
また、主脚部１３２Ｂは、コア片１３０Ａ及び１３０Ｂが組み付けられた状態で、主脚部１３２Ａとの間に、エアギャップを有する磁路を構築する。
【００３５】
側脚部１３３Ｂ及び１３４Ｂは、直方体状の形状を有し、ヨーク１３１ＢのＸ軸負方向側及びＸ軸正方向側の端部からＺ軸正方向に突出するように設けられている。側脚部１３３Ｂ及び１３４Ｂは、それぞれ、コア片１３０Ａの側脚部１３３Ａ及び１３４Ａに当接し、側脚部１３３Ａ及び１３４Ａとの間に磁路を構築する。側脚部１３３Ｂ及び１３４ＢのＸ軸方向及びＹ軸方向のサイズは、側脚部１３３Ａ及び１３４Ａにそれぞれ等しい。
【００３６】
以上のように、コア１３０は、エアギャップを挟んで磁路を形成する主脚部１３２Ａ及び１３２Ｂを有する。主脚部１３２Ａの対向面１３２Ａ１と主脚部１３２Ｂの対向面１３２Ｂ１とのギャップｄ１は、主脚部１３２Ａとヨーク１３１Ｂとのギャップｄ２、及び、主脚部１３２Ｂとヨーク１３１Ａとのギャップｄ３よりも小さい。このため、主脚部１３２Ａと１３２Ｂとの間の磁路は、ギャップが最も小さく磁気抵抗が最も低い対向面１３２Ａ１と対向面１３２Ｂ１との間の磁路が主体的になる。
【００３７】
このような構成は、主脚部１３２Ａと主脚部１３２ＢとをＹ軸方向において位置をずらして、互い違いに配置したことによって実現できるものである。そして、対向面１３２Ａ１と対向面１３２Ｂ１は、主脚部１３２Ａと主脚部１３２Ｂとが隣り合う断面が得られるＹＺ面視において、一次巻線及び二次巻線としてそれぞれ機能する銅板１１０及び銅板１２０の平面的に延在する方向（ＸＹ平面方向）とは９０度異なる構成になっている。
【００３８】
また、ギャップｄ１が得られる主脚部１３２Ａの対向面１３２Ａ１と主脚部１３２Ｂの対向面１３２Ｂ１との両側には、ギャップｄ１よりも大きいギャップｄ２及びｄ３を隔てた区間が設けられている。
【００３９】
このため、主脚部１３２Ａの対向面１３２Ａ１と主脚部１３２Ｂの対向面１３２Ｂ１との間で生じる磁束のフリンジングが、ギャップｄ２を隔てた区間と、ギャップｄ３を隔てた区間とを通り抜けて、銅板１１０及び銅板１２０に及ぶことを抑制することができる。
【００４０】
従って、実施の形態によれば、銅板１１０（一次巻線）及び銅板１２０（二次巻線）での渦電流の発生を抑制できる高周波トランス１００を提供することができる。
【００４１】
ここで、例えば、図５に示すような比較用の高周波トランス１０と比較して説明する。図５は、比較用の高周波トランス１０を示す図である。図５には、図３に対応する断面構造を示す。比較用の高周波トランス１０は、実施の形態の高周波トランス１００のコア１３０をコア１３に置き換えた構成を有する。銅板１１０及び銅板１２０は、実施の形態の高周波トランス１００のものと同様である。
【００４２】
コア１３は、コア片１３Ａ及び１３Ｂを有する。コア片１３Ａ及び１３Ｂは、それぞれ、実施の形態のコア片１３０Ａ及び１３０Ｂの主脚部１３２Ａ及び１３２Ｂを主脚部１３Ａ１及び１３Ｂ１に置き換えた構成を有する。
【００４３】
主脚部１３Ａ１及び１３Ｂ１は、Ｘ軸方向及びＹ軸方向の長さとＺ軸方向の高さとが互いにすべて等しく、平面視で楕円状の柱状体である。主脚部１３Ａ１及び１３Ｂ１は、Ｘ軸方向及びＹ軸方向の位置が等しく、Ｚ軸方向において対向している。
【００４４】
主脚部１３Ａ１及び１３Ｂ１のＸ軸方向の長さは、主脚部１３２Ａ及び１３２Ｂと等しく、Ｙ軸方向の長さは、主脚部１３２ＡのＹ軸正方向側の端部から、主脚部１３２ＢのＹ軸負方向側の端部までの長さである。また、主脚部１３Ａ１及び１３Ｂ１のＺ軸方向の高さは、主脚部１３２Ａ及び１３２Ｂよりも低く、所定のギャップを隔てているものとする。
【００４５】
このような２つの主脚部１３Ａ１及び１３Ｂ１を用いた場合には、Ｙ軸正方向側の端部と、Ｙ軸負方向側の端部におけるフリンジング磁束が、銅板１１０及び銅板１２０と鎖交することになる。フリンジング磁束が、銅板１１０及び銅板１２０と鎖交する角度は、７枚の銅板１１０及び銅板１２０のうち、Ｚ軸方向における中央部に位置する銅板１１０では、銅板１１０の表面に垂直である。また、７枚の銅板１１０及び銅板１２０のうち、Ｚ軸正方向側の銅板１１０と、Ｚ軸負方向側の銅板１２０とにおいても、平面に対して垂直に近い角度で鎖交することになる。
【００４６】
このため、比較用の高周波トランス１０では、銅板１１０及び銅板１２０のＸＹ平面に渦電流が発生し、銅板１１０及び銅板１２０が加熱されることになる。
【００４７】
これに対して、実施の形態の高周波トランス１００では、主脚部１３２Ａと主脚部１３２ＢとをＹ軸方向において位置をずらして互い違いに配置し、かつ、最小のギャップｄ１で対向する主脚部１３２Ａの対向面１３２Ａ１と主脚部１３２Ｂの対向面１３２Ｂ１との両側には、ギャップｄ１よりも大きいギャップｄ２及びｄ３を隔てた区間が設けられている。
【００４８】
このため、主脚部１３２Ａの対向面１３２Ａ１と主脚部１３２Ｂの対向面１３２Ｂ１との間のフリンジング磁束が、コア１３０の外側に漏れ出ることを抑制することができ、銅板１１０（一次巻線）及び銅板１２０（二次巻線）での渦電流の発生を抑制することができる。
【００４９】
なお、以上では、高周波トランス１００のコア１３０が主脚部１３２Ａ及び１３２Ｂの両側に、側脚部１３３Ａ及び１３３Ｂと、側脚部１３４Ａ及び１３４Ｂとを有する形態について説明したが、側脚部１３３Ａ及び１３３Ｂと、側脚部１３４Ａ及び１３４Ｂとのいずれか一方のみを含む形態であってもよい。例えば、高周波トランス１００が側脚部１３４Ａ及び１３４Ｂを含まない場合には、ヨーク１３１Ａ及び１３１Ｂは、側脚部１３３Ａ及び１３３Ｂと主脚部１３２Ａ及び１３２Ｂとの間の区間の部分だけでよい。また、主脚部１３２Ａ及び１３２Ｂを主脚部ではなく脚部として取り扱ってもよい。
【００５０】
また、以上では、一次側巻線及び二次側巻線として銅板１１０及び１２０をそれぞれ用いる形態について説明したが、例えば、配線基板に含まれる複数の導電層をＣ字型にパターニングして、ビア等で接続することによって一次側巻線及び二次側巻線として利用する形態であってもよい。
【００５１】
また、この場合に、例えば、高周波トランス１００よりも平面視で大きい配線基板を用いて、配線基板の複数層の導電層の平面視における一部をＣ字型にパターニングするとともに、主脚部１３２Ａ及び１３２Ｂと、側脚部１３３Ａ及び１３３Ｂと、側脚部１３４Ａ及び１３４Ｂとを挿通する貫通孔を配線基板に形成し、コア片１３０Ａと１３０Ｂを配線基板の両面側からそれぞれ取り付けることによって、配線基板と高周波トランス１００とが一体化した構成にしてもよい。
【００５２】
また、以上では、主脚部１３２Ａと主脚部１３２ＢとをＹ軸方向において位置をずらして互い違いに配置される形態について説明したが、主脚部１３２Ａと主脚部１３２Ｂとは、平面視でＸ軸方向において位置がずらされていてもよく、平面視でどのような方向で位置をずらして互い違いに配置されていてもよい。
【００５３】
また、以上では、主脚部１３２Ａ及び１３２Ｂの対向面１３２Ａ１、１３２Ｂ１がヨーク１３１Ａ、１３１Ｂに対してそれぞれ垂直である（９０度で起立する）形態について説明したが、起立する角度は約９０度であればよい。また、図６に示すように斜めであってもよく、図７に示すように階段状であってもよい。
【００５４】
図６は、実施の形態の第１変形例による高周波トランス１００Ｍ１を示す図である。図６に示す断面は、図３に対応する。ここでは、図１乃至図４に示す高周波トランス１００との相違点について説明する。
【００５５】
高周波トランス１００Ｍ１は、銅板１１０、銅板１２０、及びコア１３０Ｍ１を含む。コア１３０Ｍ１は、コア片１３０ＭＡ１とコア片１３０ＭＢ１を有する。コア片１３０ＭＡ１は、図１乃至図４の主脚部１３２Ａの変わりに、主脚部１３２ＭＡ１を有する。同様に、コア片１３０ＭＢは、図１乃至図４の主脚部１３２Ｂの変わりに、主脚部１３２ＭＢ１を有する。
【００５６】
主脚部１３２ＭＡ１、１３２ＭＢ１は、それぞれ、対向面１３２ＭＡ１１、１３２ＭＢ１１を有する。対向面１３２ＭＡ１１、１３２ＭＢ１１は、ヨーク１３１Ａ、１３１Ｂに対して斜めである。斜めとは、ヨーク１３１Ａ、１３１Ｂとなす角度が０度より大きく、９０度未満であることをいう。対向面１３２ＭＡ１１、１３２ＭＢ１１は、ギャップｄ１を隔てて向かい合っており、互いに平行である。
【００５７】
このような高周波トランス１００Ｍ１においても、図１乃至図４に示す高周波トランス１００と同様に、銅板１１０（一次巻線）及び銅板１２０（二次巻線）での渦電流の発生を抑制することができる。
【００５８】
図７は、実施の形態の第２変形例による高周波トランス１００Ｍ２を示す図である。図７に示す断面は、図３に対応する。ここでは、図１乃至図４に示す高周波トランス１００との相違点について説明する。
【００５９】
高周波トランス１００Ｍ２は、銅板１１０、銅板１２０、及びコア１３０Ｍ２を含む。コア１３０Ｍ２は、コア片１３０ＭＡ２とコア片１３０ＭＢ２を有する。コア片１３０ＭＡ２は、図１乃至図４の主脚部１３２Ａの変わりに、主脚部１３２ＭＡ２を有する。同様に、コア片１３０ＭＢは、図１乃至図４の主脚部１３２Ｂの変わりに、主脚部１３２ＭＢ２を有する。
【００６０】
主脚部１３２ＭＡ２、１３２ＭＢ２は、それぞれ、対向面１３２ＭＡ２１、１３２ＭＢ２１を有する。対向面１３２ＭＡ２１、１３２ＭＢ２１は、階段状である。対向面１３２ＭＡ２１、１３２ＭＢ２１は、ギャップｄ１を隔てて階段状に構成されている。
【００６１】
このような高周波トランス１００Ｍ２においても、図１乃至図４に示す高周波トランス１００と同様に、銅板１１０（一次巻線）及び銅板１２０（二次巻線）での渦電流の発生を抑制することができる。
【００６２】
また、以上では、高周波トランス１００、１００Ｍ１、１００Ｍ２について説明したが、銅板１１０及び銅板１２０をすべて直列に接続することにより、銅板１１０及び銅板１２０をコイル（リアクトル）として用いることができる。この場合には、高周波トランス１００、１００Ｍ１、１００Ｍ２を高周波コイルとして捉えることができる。
【００６３】
以上、本発明の例示的な実施の形態の高周波トランス、及び、高周波コイルについて説明したが、本発明は、具体的に開示された実施の形態に限定されるものではなく、特許請求の範囲から逸脱することなく、種々の変形や変更が可能である。
【符号の説明】
【００６４】
１００、１００Ｍ１、１００Ｍ２  高周波トランス
１１０、１２０  銅板
１３０、１３０Ｍ１、１３０Ｍ２  コア
１３０Ａ、１３０Ｂ、１３０ＭＡ１、１３０ＭＢ１、１３０ＭＡ２、１３０ＭＢ２  コア片
１３１Ａ、１３１Ｂ  ヨーク
１３２Ａ、１３２Ｂ、１３２ＭＡ１、１３２ＭＢ１、１３２ＭＡ２、１３２ＭＢ２  主脚部
１３２Ａ１、１３２Ｂ１、１３２ＭＡ１１、１３２ＭＢ１１、１３２ＭＡ２１、１３２ＭＢ２１  対向面
１３２Ａ２、１３２Ｂ２  湾曲面
１３３Ａ、１３４Ａ、１３３Ｂ、１３４Ｂ  側脚部
【図１】
2019096725.tif 000003
【図２】
2019096725.tif 000004
【図３】
2019096725.tif 000005
【図４】
2019096725.tif 000006
【図５】
2019096725.tif 000007
【図６】
2019096725.tif 000008
【図７】
2019096725.tif 000009